(57)【要約】      （修正有）【課題】皮膚面の癒したい部分に貼付し高い温浴効果を得ることが可能な皮膚面貼付入浴具を提供する。【解決手段】湯を吸収して炭酸ガスを発生させる炭酸ガス発生剤２を保持する透水性通気性材料で形成される炭酸ガス発生剤保持部材３と、炭酸ガス保持部材を皮膚面に貼付する粘着層７を有し湯が通過する透孔８を形成した貼付部材５と、を備える。【選択図】図１
0003227076.tif 000002
【実用新案登録請求の範囲】
【請求項１】
湯を吸収して炭酸ガスを発生させる炭酸ガス発生剤を保持す透水性通気性材料で形成される炭酸ガス発生剤保持部材と、
炭酸ガス保持部材を皮膚面に貼付する粘着層を有し湯が通過する透孔を形成した貼付部材と、
を備えることを特徴とする皮膚面貼付入浴具。
【請求項２】
炭酸ガス発生剤保持部材が炭酸ガス発生剤を収容する透水性通気性の材料で形成された袋体とすることを特徴とする請求項１に記載の皮膚面貼付入浴具。
【請求項３】
粘着層が炭酸ガス保持部材の全面に施されていて、炭酸ガス発生剤を収容する袋体が、この粘着層に貼り付けて設けられていることを特徴とする請求項２に記載の皮膚面貼付入浴具。
【請求項４】
炭酸ガス発生剤保持部材が粉状又は粒状の炭酸ガス発生剤を表面に付着させた透水性通気性の材料で形成したシート状体とすることを特徴とする請求項１に記載の皮膚面貼付入浴具。
【請求項５】
炭酸ガス発生剤保持部材が異なる炭酸ガス発生剤を夫々含む透水性通気性の２枚のシート状体を積層して形成することを特徴とする請求項１に記載の皮膚面貼付入浴具。
【請求項６】
炭酸ガス発生剤保持部材に遠赤外線及び／又は磁力線を発生する材料を含有させることを特徴とする請求項１ないし５のいずれか１項に記載の皮膚面貼付入浴具。
【請求項７】
炭酸ガス発生剤保持部材に遠赤外線及び／又は磁力線を発生する材料を図柄や文字印字のプリントで配置することを特徴とする請求項６に記載の皮膚面貼付入浴具。
【考案の詳細な説明】
【技術分野】
【０００１】
本考案は、皮膚面に貼付し高い温浴効果をえることが可能な皮膚面貼付入浴具に関する。
【背景技術】
【０００２】
従来、入浴剤としては炭酸ガスや無機塩類を浴湯に溶かし込み、温浴効果を高めた製品；天然温泉成分の「再現」を目指した温泉タイプの製品；あせも、湿疹、アトピー性皮膚炎などに効果の高い薬効成分や油性成分を配合したタイプの製品；色や香りを楽しむ製品など、多種多様の製品が上市されている。
【０００３】
これらの製品は、浴湯の中にそれぞれに定められた標準的な１回使用量を溶かしてから入浴することにより、温浴効果を高めたり、様々な皮膚症状に効果を与えたり、またや色や香りを楽しむことができる。また、日本においては、医薬部外品として、冷え症、腰痛、疲労回復、肩こり、神経痛、リウマチ、あせも、湿疹等の症状に対しての効果が認められている。
【先行技術文献】
【特許文献】
【０００４】
【特許文献１】特開平５−２９４８２２号公報
【考案の概要】
【考案が解決しようとする課題】
【０００５】
しかしながら、従来の入浴剤は、皮膚の局部に貼付又は塗擦して用いるという技術思想は全く存在せず、単に浴湯中への溶解性等を改良しようとするものであった。従って、肩こりや腰痛などの症状や、湿疹、アトピーなどの皮膚症状などの人体の局部の症状においては、従来の入浴剤やシート状の入浴剤では、ある程度の症状改善効果が認められるものの、効果を実感できるレベルには達していないのが現状である。これを改善するため、浴湯に投入される入浴剤の量を増やして、効果を高めようとする考え方もあるが、安全面での問題や経済的な負担、浴槽材質への影響、環境への影響等が懸念される為、効果を高めるためには、入浴剤についての考え方の抜本的な見直しが必要であった。
【０００６】
本考案は、従来技術の持つ問題点を解決する、皮膚面の癒したい部分に貼付し炭酸ガスによる高い温浴効果を得ることが可能な皮膚面貼付入浴具を提供することを目的とする。
【課題を解決するための手段】
【０００７】
本考案の皮膚面貼付入浴具は、前記課題を解決するため、湯を吸収して炭酸ガスを発生させる炭酸ガス発生剤を保持する炭酸ガス発生剤保持部材と、炭酸ガス保持部材を皮膚面に貼付する粘着層を有し湯が通過する透孔を形成した貼付部材と、を備えることを特徴とする。
【０００８】
また、本考案の皮膚面貼付入浴具は、炭酸ガス発生剤保持部材が炭酸ガス発生剤を収容する透水性通気性の材料で形成した袋体とすることを特徴とする。
【０００９】
また、本考案の皮膚面貼付入浴具は、粘着層が炭酸ガス保持部材の全面に施されていて、炭酸ガス発生剤を収容する袋体が、この粘着層に貼り付けて設けられていることを特徴とする。
【００１０】
また、本考案の皮膚面貼付入浴具は、炭酸ガス発生剤保持部材が粉状又は粒状の炭酸ガス発生剤を表面にまぶした透水性通気性の材料で形成したシート状体とすることを特徴とする。
【００１１】
また、本考案の皮膚面貼付入浴具は、炭酸ガス発生剤保持部材が異なる炭酸ガス発生剤を夫々含む透水性通気性の２枚のシート状体を積層して形成することを特徴とする。
【００１２】
また、本考案の皮膚面貼付入浴具は、炭酸ガス発生剤保持部材に遠赤外線及び／又は磁力線を発生する材料を含有させることを特徴とする。
【００１３】
また、本考案の皮膚面貼付入浴具は、炭酸ガス発生剤保持部材に遠赤外線及び／又は磁力線を発生する材料を図柄や文字印字のプリントで配置することを特徴とする。
【考案の効果】
【００１４】
湯を吸収して炭酸ガスを発生させる炭酸ガス発生剤を保持する炭酸ガス発生剤保持部材と、炭酸ガス保持部材を皮膚面に貼付する粘着層を有し湯が通過する透孔を形成した貼付部材と、を備えることで、癒したい皮膚面の所望部分に貼付するだけで炭酸ガスが発生し、入浴剤のような経済的な負担、浴槽材質への影響、環境への影響等を与えることなく効率よく温浴効果を発揮することが可能となる。
炭酸ガス発生剤保持部材が炭酸ガス発生剤を収容する透水性通気性の材料で形成した袋体とすることで、適量の炭酸ガス発生剤を収容することが可能となる。
粘着層が炭酸ガス保持部材の全面に施されていて、炭酸ガス発生剤を収容する袋体が、この粘着層に貼り付けて設けられていることで、炭酸ガス保持部材である袋体を確実に皮膚面に貼り付けることが可能となる。
炭酸ガス発生剤保持部材が粉状又は粒状の炭酸ガス発生剤を表面にまぶした透水性通気性の材料で形成したシート状体とすることで、厚みの薄い皮膚面貼付入浴具を提供することが可能となる。
炭酸ガス発生剤保持部材が異なる炭酸ガス発生剤を夫々含む透水性通気性の２枚のシート状体を積層して形成することで、一方のシート状体に炭酸水素ナトリウムを含有させ他方のシート状体にクエン酸を主成分とする物質を含有させることで湯の浸水により効率よく炭酸ガスを発生させることが可能となる。
炭酸ガス発生剤保持部材に遠赤外線及び／又は磁力線を発生する材料を含有させることで、遠赤外線効果と磁力線効果を発揮することが可能となる。
炭酸ガス発生剤保持部材に遠赤外線及び／又は磁力線を発生する材料を図柄や文字印字のプリントで配置することで、商品の宣伝効果を発揮することが可能となる。
【図面の簡単な説明】
【００１５】
【図１】(a)(b)本考案の実施形態を示す図である。
【図２】(a)(b)本考案の実施形態を示す図である。
【図３】(a)(b)本考案の実施形態を示す図である。
【考案を実施するための形態】
【００１６】
本考案の実施の形態を図により説明する。図１（a）（ｂ）は、本発明の皮膚面貼付入浴具１の一実施形態を示す図である。本考案の皮膚面貼付入浴具１は、浴槽に入浴する以外にも浴槽外のシャワーを浴びる際に用いても良い。
【００１７】
この実施形態の皮膚面貼付入浴具１は、炭酸ガス発生剤２としての粒状又は粉体の炭酸水素ナトリウム２αとクエン酸２βを主成分とする物質を収容する炭酸ガス発生剤保持部材３として透水性通気性の材料（例えば不織布）で形成した袋体４を用いる。
【００１８】
炭酸ガス発生剤２を収容した炭酸ガス発生剤保持部材３である袋体４を例えば腕の痛い部分等の所望の皮膚面に貼付する貼付部材５は、非透水性非通気性の材料で形成されたシート体６に粘着層７を設けて形成される。シート体６と粘着層７には透孔８が形成される。
【００１９】
粘着層７は炭酸ガス発生剤保持部材３の全面に施され、炭酸ガス発生剤を保持する袋体４がこの粘着層に貼り付けられており、確実に炭酸ガス発生剤を保持する袋体４が皮膚面に貼り付けることが可能となる。
【００２０】
皮膚面貼付入浴具１を所望の皮膚面に貼付して入浴又はシャワーを浴びると、湯が貼付部材５に形成した透孔８から浸水して透水性通気性の材料で形成された袋体４内の炭酸ガス発生剤２としての炭酸水素ナトリウム２αとクエン酸２βを主成分とする物質が化学反応して炭酸ガスを発生させ大部分の炭酸ガスが所望の皮膚面を刺激し効率の良い温浴効果を得ることができる。
【００２１】
炭酸ガス発生剤２と一緒に遠赤外線発生する材料α及び／又は磁力線を発生する材料βを用いることで遠赤外線効果と磁力線効果を発揮することが可能となる。遠赤外線発生する材料α及び／又は磁力線を発生する材料βを炭酸ガス発生剤保持部材３に図柄や文字印字のプリントで配置しても良い。図柄や文字印字のプリントで配置することで商品の宣伝効果を得ることが可能になる。
【００２２】
本発明の皮膚面貼付入浴具１の炭酸ガス発生剤２の一部は浴槽に溶け込むが、入浴剤を直接浴槽に投入するよりも極めて少ないので、入浴剤が苦手も同じ浴槽で入浴することができ、入浴剤のような経済的な負担、浴槽材質への影響、環境への影響等を与えることなく効率よく温浴効果を発揮することが可能となる。
【００２３】
図２（a）（ｂ）は、本発明の皮膚面貼付入浴具１の他の実施形態を示す図である。この実施形態の皮膚面貼付入浴具１は、炭酸ガス発生剤２としての粒状又は粉体の炭酸水素ナトリウム２αとクエン酸２βを主成分とする物質を保持する炭酸ガス発生剤保持部材３として透水性通気性の材料（例えば不織布）で形成したシート状体９を用いても良い。シート状体９の表面に接着剤等を介して粒状又は粉体の炭酸ガス発生剤２を付着させる。シート状体９に遠赤外線発生する材料α及び／又は磁力線を発生する材料βを付着させても良い。遠赤外線発生する材料α及び／又は磁力線を発生する材料βを図柄や文字印字のプリントで配置しても良い。
【００２４】
炭酸ガス発生剤保持部材３であるシート状体９を所望の皮膚面に貼付する貼付部材５の構成は図１（a）（ｂ）に示す実施形態と同様であるので説明を省略する。この実施形態では、炭酸ガス発生剤保持部材３をシート状体９とすることで厚みを薄くすることができ皮膚面への貼付が容易な皮膚面貼付入浴具１とすることが可能となる。
【００２５】
図３（a）（ｂ）は、本発明の皮膚面貼付入浴具１の別の実施形態を示す図である。この実施形態の皮膚面貼付入浴具１は、炭酸ガス発生剤保持部材３を、透水性通気性の２枚のシート状体１０．１１を積層して構成する。一方のシート状体１０には、炭酸ガス発生剤２として炭酸水素ナトリウム２αを含有させ、他方のシート状体１１に炭酸ガス発生剤２としてクエン酸２βを主性分とする物質を含有させて配置しても良い。シート状体１０．１１に遠赤外線発生する材料及び／又は磁力線を発生する材料を付着させても良い。遠赤外線発生する材料α及び／又は磁力線を発生する材料βを図柄や文字印字のプリントで配置しても良い。
【００２６】
炭酸ガス発生剤保持部材３であるシート状体１０，１１を所望の皮膚面に貼付する貼付部材５の構成は図１（a）（ｂ）、図２（a）（ｂ）に示す実施形態と同様であるので説明を省略する。この実施形態では、炭酸ガス発生剤保持部材３を異なる炭酸ガス発生剤を夫々含む透水性通気性の２枚のシート状体１０，１１を積層して形成することで、一方のシート状体１０に炭酸水素ナトリウム２αを含有させ他方のシート状体１１にクエン酸
２βを主成分とする物質を含有させることで湯の浸水により効率よく炭酸ガスを発生させることが可能となる。
【００２７】
以上のように本発明の皮膚面貼付入浴具１によれば、癒したい皮膚面の所望部分に貼付するだけで炭酸ガスが発生し、入浴剤のような経済的な負担、浴槽材質への影響、環境への影響等を与えることなく効率よく温浴効果を発揮することが可能となる。
【符号の説明】
【００２８】
１： 皮膚面貼付入浴具、２：炭酸ガス発生剤、２α：炭酸水素ナトリウム、２β：クエン酸、３：炭酸ガス発生剤保持部材、４：袋体、５：貼付部材、６：シート体、７：粘着層、８：透孔、９：シート状体、１０：シート状体、１１：シート状体、α：遠赤外線発生する材料、β：磁力線を発生する材料
【図１】
0003227076.tif 000003
【図２】
0003227076.tif 000004
【図３】
0003227076.tif 000005